(57)【要約】      （修正有）【課題】上側キャップを開けようとする際に誤って分別部を引いてしまうことを抑制することができる容器用キャップを提供する。【解決手段】容器用キャップ５は、内容物を収容する本体部２に装着され、本体部２から内容物を注出する注出口３３０が形成されている、本体部２から分別するための分別用つまみ部３５を有する中栓３と、中栓３に装着され、注出口３３０を閉栓する上側キャップと、を備え、上側キャップは、上側キャップを開栓する際に分別用つまみ部３５に指が接触しないように設けられている。【選択図】図３
0003229807.tif 000002
【実用新案登録請求の範囲】
【請求項１】
内容物を収容する本体部に装着され、前記本体部から前記内容物を注出する注出口が形成されている、前記本体部から分別するための分別部を有する中栓と、
前記中栓に装着され、前記注出口を閉栓する上側キャップと、を備え、
前記上側キャップは、該上側キャップを開栓する際に前記分別部に指が接触しないように設けられている、
容器用キャップ。
【請求項２】
前記上側キャップは、前記分別部を部分的又は全体的に覆うように設けられている、
請求項１に記載の容器用キャップ。
【請求項３】
前記分別部は、前記中栓の下側に設けられており、
前記上側キャップは、前記分別部の位置まで被さるように下側に延在している、
請求項２に記載の容器用キャップ。
【請求項４】
前記上側キャップは、前記注出口を閉栓する蓋部と、前記蓋部と接続する円筒状の形状を有する裾部と、を備え、
前記裾部は、前記分別部の下端まで延在している、
請求項３に記載の容器用キャップ。
【請求項５】
前記上側キャップは、前記注出口を閉栓する蓋部と、前記蓋部と接続し、前記分別部の上部まで延在し、前記分別部よりも外側に突出する円筒形状の裾部と、を備える、
請求項１に記載の容器用キャップ。
【請求項６】
前記裾部は、外周面に滑り止め構造を有している、
請求項５に記載の容器用キャップ。
【考案の詳細な説明】
【技術分野】
【０００１】
本考案は、容器用キャップに関し、特に中栓を備える容器用キャップに関するものである。
【背景技術】
【０００２】
従来、容器の本体部に装着され、この本体部に収容されたドレッシング等の内容物を注出する中栓と、この中栓に装着される上側キャップと、を備えたツーピース構造を有する容器用キャップが提供されている（例えば、特許文献１参照。）。
【０００３】
特許文献１に記載の容器用キャップは、中栓を本体部から分離して分別廃棄可能とする分別機構を備えている。この分別機構は、中栓の外周側の外筒の下部外周面の所定円弧範囲にわたって軸方向に形成されたスリットを介して把持する分別部が設けられ、分別部は、薄肉の縦切断部によって外筒から切り離され外方に展開可能になっている。
【先行技術文献】
【特許文献】
【０００４】
【特許文献１】特開２０２０−１３８７９３号公報
【考案の概要】
【考案が解決しようとする課題】
【０００５】
しかしながら、特許文献１に記載の容器用キャップによれば、上側キャップを開けようとする際に誤って分別部を引いてしまい、容器用キャップを破壊して使用不能な状態にしてしまう虞がある。具体的には、使用者が、分別部を、分別機構ではなく上側キャップを開けるための補助機構として誤認することによって、誤って分別部を引いてしまう虞がある。
【０００６】
そこで、本考案は、上側キャップを開けようとする際に誤って分別部を引いてしまうことを抑制することができる容器用キャップを提供することを目的とする。
【課題を解決するための手段】
【０００７】
本考案は、上記の目的を達成するために、下記の［１］乃至［６］の容器用キャップを提供する。
［１］内容物を収容する本体部に装着され、前記本体部から前記内容物を注出する注出口が形成されている、前記本体部から分別するための分別部を有する中栓と、前記中栓に装着され、前記注出口を閉栓する上側キャップと、を備え、前記上側キャップは、該上側キャップを開栓する際に前記分別部に指が接触しないように設けられている、容器用キャップ。
［２］前記上側キャップは、前記分別部を部分的又は全体的に覆うように設けられている、前記［１］に記載の容器用キャップ。
［３］前記分別部は、前記中栓の下側に設けられており、前記上側キャップは、前記分別部の位置まで被さるように下側に延在している、前記［２］に記載の容器用キャップ。
［４］前記上側キャップは、前記注出口を閉栓する蓋部と、前記蓋部と接続する円筒状の形状を有する裾部と、を備え、前記裾部は、前記分別部の下端まで延在している、前記［３］に記載の容器用キャップ。
［５］前記上側キャップは、前記注出口を閉栓する蓋部と、前記蓋部と接続し、前記分別部の上部まで延在し、前記分別部よりも外側に突出する円筒形状の裾部と、を備える、前記［１］に記載の容器用キャップ。
［６］前記裾部は、外周面に滑り止め構造を有している、前記［５］に記載の容器用キャップ。
【考案の効果】
【０００８】
本考案によれば、上側キャップを開けようとする際に誤って分別部を引いてしまうことを抑制することができる容器用キャップを提供することができる。
【図面の簡単な説明】
【０００９】
【図１】食品容器の一部を示す正面図である。
【図２】図１に示す中栓を示す図であり、（ａ）は、正面図、（ｂ）は、平面図、（ｃ）は、底面図、（ｄ）は、（ｂ）の要部拡大図である。
【図３】本考案の第１の実施の形態に係る容器用キャップを示す図であり、（ａ）は、オーバキャップを中栓に装着させた状態の容器用キャップを示す一部断面図、（ｂ）は、（ａ）に示す容器用キャップをボトルに装着させた状態を示す正面図である。
【図４】本考案の第２の実施の形態に係る容器用キャップを示す図である。
【図５】変形例に係る容器用キャップを示す図である。
【考案を実施するための形態】
【００１０】
以下、本考案の実施の形態を、図面を参照して説明するが、本考案は、これらに限定されるものではない。
【００１１】
［実施の形態の要約］
本実施の形態に係る容器用キャップは、内容物を収容する本体部に装着され、前記本体部から前記内容物を注出する注出口が形成されている、前記本体部から分別するための分別部を有する中栓と、前記中栓に装着され、前記注出口を閉栓する上側キャップと、を備え、前記上側キャップは、該上側キャップを開栓する際に前記分別部に指が接触しないように設けられている。
【００１２】
ここで、「前記分別部に指が接触しない」とは、容器の通常の使用態様において、上側キャップを開栓する作業中に分別部を引くことができる程度に指が分別部に触れることがないことをいう。換言すれば、「前記分別部に指が接触しない」とは、上側キャップを開栓する作業における指と分別部との間の接触面積及び接触圧が一定の値（上側キャップを開栓するのに要する値に対して無視できる程度に僅かな値）以下に制限されていることをいう。「前記分別部に指が接触しない」は、例えば、いずれの指も分別部に物理的に全く触れることがない状態のみを指すものではない。
【００１３】
「前記分別部に指が接触しないように設けられている」構成には、例えば、上側キャップが分別部の一部又は全部を覆っている構成や、上側キャップの下側の部分が分別部よりも径方向外側に突出している構成等が含まれる。
【００１４】
［第１の実施の形態］
〔食品容器〕
図１は、食品容器の一部を示す正面図である。図１に示すように、食品容器１は、内容物を収容する本体部としてのボトル２と、このボトル２に固定され、ボトル２に収容された内容物を注出する中栓３と、この中栓３に装着され、中栓３を閉栓する上側キャップとしてのオーバキャップ４（図３、図４参照）と、を備える。なお、食品容器１は、本考案の「容器」の一例である。また、説明の便宜上、図１は、オーバキャップ４を外した状態を示している。
【００１５】
（内容物）
ボトル２に収容される内容物は、例えば、食用油脂や、ドレッシング、タレ、ソース、食酢、ポン酢、醤油等の液状調味料、飲料等の液状の食品、及び粒胡麻、すり胡麻、塩、香辛料等の粒状・粉末状調味料等を含む。なお、内容物は、中栓３から出せるものであれば、特に上記に列挙したものに限定されない。
【００１６】
（ボトル２）
ボトル２は、中央部に内容物を収容する収容空間２０が形成されている。また、ボトル２の上部には、内容物を取り出す容器口２１０が形成された口部２１を備える。換言すれば、ボトル２は、略有底円筒状の形状を有している。なお、ボトル２の形状は、略有底円筒状に限定されず、高さ方向（図示上下方向）に沿って断面形状や断面積が変化するものでもよく、断面が円形以外（例えば、楕円、多角形、星形等）のものでもよい。ボトル２は、例えば、ポリエチレンテレフタレート（ＰＥＴ）やポリエチレン（ＰＥ）等の樹脂により形成される。
【００１７】
（中栓３）
図２は、図１に示す中栓３を示す図であり、（ａ）は、正面図、（ｂ）は、平面図、（ｃ）は、底面図、（ｄ）は、（ｂ）の要部拡大図である。中栓３に用いられる樹脂は、ボトル２に用いられる樹脂と異なってもよい。中栓３は、例えば、ＰＥ等の樹脂により形成される。
【００１８】
図２各図に示すように、中栓３は、底側に位置する外筒部３１と、内側に形成された内筒部３２と、ボトル２の収容空間２０に収容された内容物を食品容器１の外方に案内する注出部３３と、中栓３をボトル２の口部２１に固定する固定部３４と、この固定部３４と一体化して設けられ、分別廃棄を行うために中栓３をボトル２から分離するための分別用つまみ部３５と、を備える。分別用つまみ部３５は、本考案の「分別部」の一例である。
【００１９】
外筒部３１は、ボトル２の口部２１の外径と略等しい内径を有する略円筒状の形状を有している。内筒部３２は、外筒部３１の内径よりも、ボトル２の口部２１を構成する周壁の先端部の肉厚分小さい外径を有する略円筒状の形状を有している。これにより、外筒部３１の内周面３１ａと内筒部３２の外周面３２ａとは、ボトル２の口部２１が嵌入する嵌入溝Ｓを形成している（図２（ｃ）参照）。
【００２０】
注出部３３は、外筒部３１の外径よりも小さい外径を有する略円筒状の形状を有している。注出部３３は、中央部に、収容空間２０と連通し収容空間２０に収容された内容物を注出する注出口３３０を形成している。また、注出部３３は、外周面に設けられた、オーバキャップ４を螺合するための第１のねじ部３３１を有している。なお、注出部３３の外径や注出口３３０の内径は、例えば、収容される内容物の流動性等に応じて適宜調整してよい。
【００２１】
固定部３４は、外筒部３１と略同一の内径を有する略円環状の形状を有している。固定部３４は、中栓３の高さ方向（図示上下方向）において、外筒部３１と接続して一体となっている。固定部３４は、外周壁の一部の領域が径方向において外端から内側に向かって一部が切り抜かれている。この切り抜かれた残りの領域は、薄肉部３４１を形成している。
【００２２】
固定部３４は、ボトル２の口部２１の外周面に固定され、嵌入溝Ｓに嵌入された口部２１の先端部を抜け止め保持するようになっている。
【００２３】
分別用つまみ部３５は、上述の切り抜かれた領域に設けられており、外筒部３１の外周面の下側において、外筒部３１の円周の一部の範囲に延在する略円弧状の形状を有している。また、分別用つまみ部３５は、径方向において外筒部３１の外周面との間に僅かな隙間ＳＳを有して、接続部３５０で固定部３４の先端部３４ａと周方向において接続して固定部３４と一体となっている。
【００２４】
分別用つまみ部３５は、内周面を固定部３４の薄肉部３４１に係止する係止部３５１と、外周面側に設けられ、複数の第１の棒状突起３５２ａを筋状に並べて形成した第１の滑り止め部３５２と、内周面に設けられ複数の第２の棒状突起３５３ａを筋状に並べて設けた第２の滑り止め部３５３と、を備えている。なお、第１の滑り止め部３５２及び第２の滑り止め部３５３は、必須の構成ではない。
【００２５】
また、分別用つまみ部３５は、把持部として機能する。そのため、分別用つまみ部３５を把持しやすいように、先端部３５ａと固定部３４の基端部３４ｂとの間には、指先を入れて引っ掛けるための一定の大きさを有する隙間３５Ａが設けられている。
【００２６】
分別用つまみ部３５は、外筒部３１の径方向に一定の外力が加わると、係止部３５１が切断されて薄肉部３４１から外れ、接続部３５０を基軸として外方に向かって回動するようになっている。また、薄肉部３４１から外れた分別用つまみ部３５にさらに外力が加わると、分別用つまみ部３５は、接続部３５０が切断され、続けて固定部３４が分別用つまみ部３５とともに外筒部３１から切り離されることによって、中栓３がボトル２から分離されるようになっている。
【００２７】
（オーバキャップ４）
図３は、本考案の第１の実施の形態に係る容器用キャップを示す図であり、（ａ）は、オーバキャップ４を中栓３に装着させた状態の容器用キャップを示す一部断面図、（ｂ）は、（ａ）に示す容器用キャップをボトル２に装着させた状態を示す正面図である。オーバキャップ４を形成する樹脂は、ボトル２や中栓３を形成する樹脂と異なってもよい。オーバキャップ４は、例えば、ポリプロピレン（ＰＰ）等の樹脂により形成される。
【００２８】
中栓３及びオーバキャップ４は、本考案の容器用キャップ５を構成している。オーバキャップ４は、これを開栓する際に、指が中栓３の分別用つまみ部３５に接触しないように設けられている。以下、具体的に説明する。
【００２９】
図３各図に示すように、オーバキャップ４は、注出口３３０を閉栓する蓋部４１と、この蓋部４１と下側で接続して分別用つまみ部３５を被覆する裾部４２と、を含んで構成されている。
【００３０】
蓋部４１は、半球状の形状を有する。蓋部４１は、内部に、中栓３の注出部３３を収容する収容空間４１１ａを区画する収容筒部４１１を有している。また、収容筒部４１１の内側には、注出部３３の外周面に形成された第１のねじ部３３１と螺合する第２のねじ部４３１が形成されたねじ筒部４３が設けられている。
【００３１】
裾部４２は、円筒状の形状を有する。裾部４２は、内側に中栓３と接触する凸部４２１を有している。また、裾部４２は、外側に滑り止め部４２２を有している。
【００３２】
裾部４２は、オーバキャップ４を中栓３に装着させた状態において、高さ方向において中栓３の固定部３４及び分別用つまみ部３５の下端まで延在している。すなわち、裾部４２は、オーバキャップ４を中栓３に装着させた状態において、中栓３の固定部３４及び分別用つまみ部３５の位置まで被さるように下側に延在している。
【００３３】
換言すれば、オーバキャップ４を中栓３に装着させた状態において、中栓３は、その全体がオーバキャップ４により被覆されるようになっている（図３（ｂ）参照）。かかる構成によれば、分別用つまみ部３５がオーバキャップ４に被覆されているため、オーバキャップ４を開栓するときに誤って分別用つまみ部３５を引いてしまうことを抑制することができる。
【００３４】
＜変形例１＞
上述した実施例では、いずれも、分別用つまみ部３５が中栓３の下側に設けられている構成を示したが、分別用つまみ部３５は、必ずしも中栓３の下側に設けられていなくてもよく、中栓３の上部や中央部付近に設けられてもよい。この場合、オーバキャップ４は、必ずしも中栓３の全体を被覆していなくてもよく、少なくとも分別用つまみ部３５を覆うように設けられていればよい。
【００３５】
また、オーバキャップ４を開けようとする際に分別用つまみ部３５を引いてしまうことを抑制できればよく、必ずしも分別用つまみ部３５を全体的に覆っていなくてもよく、分別用つまみ部３５を部分的に覆うものでもよい。すなわち、分別用つまみ部３５の一部が露出していてもよい。
【００３６】
［第２の実施の形態］
次に、本考案の第２の実施の形態について図４を参照して説明する。オーバキャップ４は、必ずしも中栓３の全体を覆うように、つまり、分別用つまみ部３５を被覆するように構成されていなくてもよい。第２の実施の形態に係る容器用キャップ５のオーバキャップ４は、分別用つまみ部３５を被覆していない点で、第１の実施の形態に係る容器用キャップ５のオーバキャップ４と相違する。以下、第１の実施の形態と同一の構成及び機能を有する要素については同一の符号を付してその詳細な説明を省略するとともに、第１の実施の形態に係る容器用キャップ５と異なる点を中心に説明する。
【００３７】
図４は、本考案の第２の実施の形態に係る容器用キャップ５を示す図であり、容器用キャップ５をボトル２に装着させた状態を示す正面図である。ボトル２及び中栓３は、第１の実施の形態と同一であるため、詳細な説明を省略する。
【００３８】
（オーバキャップ４）
オーバキャップ４は、第１の実施の形態と同様に、開栓する際に分別用つまみ部３５に接触しないように設けられている。具体的には、図４に示すように、裾部４２は、中栓３の分別用つまみ部３５の径方向における先端よりも外側に突出している。換言すれば、裾部４２は、中栓３の固定部３４の外径よりも大きい外径を有している。
【００３９】
また、裾部４２は、分別用つまみ部３５を被覆していない。本実施の形態では、裾部４２は、分別用つまみ部３５の上端まで延在している。なお、裾部４２は、分別用つまみ部３５の上端に接していなくてもよい。
【００４０】
かかる構成よれば、オーバキャップ４を開けようとする際に、指が分別用つまみ部３５に接触しにくくなり、分別用つまみ部３５に対して裾部４２に接触する指の面積の割合を大きくすることができるため、オーバキャップ４のみへのグリップ力を増加させることができる。そのため、使用者が高さ方向における分別用つまみ部３５の位置までをオーバキャップ４と誤認した場合であっても、分別用つまみ部３５を回してしまうことなく、オーバキャップ４を正しく開栓することができる。
【００４１】
なお、オーバキャップ４へのグリップ力をさらに増加させるために、裾部４２の外周面に、滑り止め構造（例えば、ギザギザ構造等）を設けてもよい。また、蓋部４１は、半球状の形状を有するものに限定されず、図４に示すように、円筒状の形状を有するものであってもよい。
【００４２】
第２の実施の形態に係る容器用キャップ５は、第１の実施の形態に係る容器用キャップ５よりも簡易に構成できる点で好ましい。これに対して、分別用つまみ部３５を誤って引いてしまうことをより確実に抑制するには、第１の実施の形態に係る構成が好ましい。
【００４３】
＜変形例２＞
図５は、変形例に係る容器用キャップ５を示す図であり、容器用キャップ５をボトル２に装着させた状態を示す正面図である。図５に示すように、第２の実施の形態において、裾部４２が分別用つまみ部３５を被覆するように分別用つまみ部３５の下端まで延在していてもよい。なお、裾部４２は、必ずしも分別用つまみ部３５を全体的に覆っていなくてもよく、分別用つまみ部３５を部分的に覆うものでもよい。
【符号の説明】
【００４４】
１：食品容器
２：ボトル、２０：収容空間、２１：口部、２１０：容器口
３：中栓、３１：外筒部、３１ａ：内周面
３２：内筒部、３２ａ：外周面
３３：注出部、３３０：注出口、３３１：第１のねじ部
３４：固定部、３４ａ：先端部、３４ｂ：基端部、３４１：薄肉部
３５：分別用つまみ部、３５Ａ：隙間、３５ａ：先端部、３５０：接続部
３５１：係止部、３５２：第１の滑り止め部、３５２ａ：第１の棒状突起
３５３：第２の滑り止め部、３５３ａ：第２の棒状突起
４：オーバキャップ、４１：蓋部、４１１：収容筒部、４１１ａ：収容空間
４２：裾部、４２１：凸部、４２２：滑り止め部
４３：ねじ筒部、４３１：第２のねじ部
５：容器用キャップ
【図１】
0003229807.tif 000003
【図２】
0003229807.tif 000004
【図３】
0003229807.tif 000005
【図４】
0003229807.tif 000006
【図５】
0003229807.tif 000007